(57)【要約】 【課題】  ピックアップ性能の向上を図るとともに、製作コストの低減を図ることができるＬＤパッケージ、光ピックアップ装置および電子機器を提供する。【解決手段】  使用すべき波長のレーザ光を発する光源に応じて、ハウジング１１に対し、ＬＤパッケージ１２を相対的に位置調整可能な調整機構１３を設ける。【選択図】      図１
2005285214.tif 000002
【特許請求の範囲】
【請求項１】
異なる波長のレーザ光を発する光源を一体に備え、かつ光ピックアップ本体に搭載可能なＬＤパッケージであって、
使用すべき波長のレーザ光を発する光源に応じて、光ピックアップ本体に対し、相対的に位置調整可能に構成されることを特徴とするＬＤパッケージ。
【請求項２】
異なる波長のレーザ光を発する光源を一体に備えるＬＤパッケージと、
光源から発せられるレーザ光を記録媒体に導く光学部品と、
ＬＤパッケージおよび光学部品を支持する光ピックアップ本体と、
使用すべき波長のレーザ光を発する光源に応じて、光ピックアップ本体に対し、ＬＤパッケージを相対的に位置調整可能な調整機構とを有することを特徴とする光ピックアップ装置。
【請求項３】
調整機構は、ＬＤパッケージに付設される第１ギヤ手段と、光ピックアップ本体に設けられかつ第１ギヤ手段に噛合する第２ギヤ手段とを有することを特徴とする請求項２に記載の光ピックアップ装置。
【請求項４】
ＬＤパッケージには少なくとも外周面部が形成され、第１ギヤ手段は、前記外周面部に沿って付設されてセクタギヤまたはピニオンギヤを成すことを特徴とする請求項３に記載の光ピックアップ装置。
【請求項５】
第２ギヤ手段は、ウォームギヤ、ピニオンギヤおよびラックギヤの少なくともいずれか１つによって構成されることを特徴とする請求項３に記載の光ピックアップ装置。
【請求項６】
第２ギヤ手段を駆動可能な駆動源をさらに有することを特徴とする請求項３に記載の光ピックアップ装置。
【請求項７】
使用すべき光源の発光点が、合致すべき光ピックアップ装置の光軸に合致したか否かを判定する判定手段をさらに備えることを特徴とする請求項２〜６のいずれか１つに記載の光ピックアップ装置。
【請求項８】
判定手段は、ＬＤパッケージまたは光ピックアップ本体に付設される磁石片およびコイル体を含むことを特徴とする請求項７に記載の光ピックアップ装置。
【請求項９】
判定手段による判定結果に基づいて、調整機構の調整量を制御する制御手段をさらに備えることを特徴とする請求項７または８に記載の光ピックアップ装置。
【請求項１０】
異なる波長のレーザ光を発する光源を一体に備えるＬＤパッケージと、光源から発せられるレーザ光を記録媒体に導く光学部品と、ＬＤパッケージおよび光学部品を支持する光ピックアップ本体と、使用すべき波長のレーザ光を発する光源に応じて、光ピックアップ本体に対し、ＬＤパッケージを相対的に位置調整可能な調整機構とを有する光ピックアップ装置を搭載したことを特徴とする電子機器。
【発明の詳細な説明】
【技術分野】
【０００１】
本発明は、ＬＤパッケージ、光ピックアップ装置および電子機器に関し、たとえば光ディスクまたは光磁気ディスクなどのディスク状情報記録媒体に対する情報の再生、記録、または消去を可能とする装置に適用される技術に関する。
【０００２】
本発明において、「ＬＤ」は、レーザーダイオードつまり半導体レーザーと同義であり、ＬＤパッケージは、半導体レーザーを備えるパッケージと同義である。
【背景技術】
【０００３】
従来より、光源から出射された光ビームを光ディスクに照射し、その光ディスクからの反射光を受光部に入射させてそれを検出することにより、光ディスクに記録されている情報を再生する技術が知られている。この技術は、コンパクトディスク（略称ＣＤ）再生装置またはデジタルバーサタイルディスク（略称ＤＶＤ）再生装置などの光ディスク再生装置として広く実用化されている。
【０００４】
図１１は、従来技術に係る光ピックアップ装置１の構成を概略示す図である。図１２は、受光素子２を拡大して示す図である。図１３は、従来技術に係る半導体レーザー３を、その発光方向に垂直な仮想平面で切断して見た断面図である。光源３から出射された光は、回折格子４を通過し、ビームスプリッター５で反射され、コリメートレンズ６および対物レンズ７を介して光ディスク８へ集光する。この光ディスク８の信号記録面から反射された光は、順次、対物レンズ７、コリメートレンズ６、ビームスプリッター５およびシリンドリカルレンズ９を通り、受光素子２に照射される。受光素子２は、二個の４分割受光部を備えている。一方の４分割受光部はＤＶＤ用受光部であり、他方の４分割受光部はＣＤ用受光部である。
【０００５】
２波長ＬＤを搭載する光ピックアップ装置においては、ホログラム対物レンズを用いて、発光点間隔を補正する技術が提案されている（たとえば特許文献１参照）。
【０００６】
【特許文献１】特開平１１−１６１９９６号公報
【発明の開示】
【発明が解決しようとする課題】
【０００７】
従来技術の光ピックアップ装置１では、２波長ＬＤを搭載しているので、次のような問題がある。つまり従来の２波長ＬＤでは、６５０ｎｍの波長の発光点と７８０ｎｍの波長の発光点とを有する。それらの発光点の間隔は、一般的に約１１０μｍとなっている。そのため一方の発光点から発せられる光は、合致すべき光ピックアップ装置の光軸から不所望にずれてしまう。それ故、光源から出射された光は、コリメートレンズ６に入射され、対物レンズ７に入射されると、一方の光は対物レンズ７に対し軸外に外れコマ収差が発生する。これによって光ピックアップの性能が悪化する。
【０００８】
また別々の発光点から出射された光を、受光素子２でそれぞれ検出する必要があるので、受光部は必然的に二個必要となる。他光学系の取付け精度および光学部品の性能のばらつきなどによって、受光素子２へ照射される光の間隔が異なるので、一方の受光バランスが悪化し、光ピックアップの性能が悪化する。
【０００９】
特許文献１の技術では、２波長ＬＤにおける発光点間隔を補正するため、ホログラム素子を使用しているが、このホログラム素子を使用することによって光のロスが発生する。換言すれば、所期の光出力特性を得られないという問題がある。しかもホログラム素子を使用する分、装置の製作コストが高くなるという問題がある。
【００１０】
本発明の目的は、ピックアップ性能の向上を図るとともに、製作コストの低減を図ることができるＬＤパッケージ、光ピックアップ装置および電子機器を提供することである。
【課題を解決するための手段】
【００１１】
本発明は、異なる波長のレーザ光を発する光源を一体に備え、かつ光ピックアップ本体に搭載可能なＬＤパッケージであって、
使用すべき波長のレーザ光を発する光源に応じて、光ピックアップ本体に対し、相対的に位置調整可能に構成されることを特徴とするＬＤパッケージである。
【００１２】
本発明に従えば、ＬＤパッケージは、異なる波長のレーザ光を発する光源を一体に備える。ＬＤパッケージは光ピックアップ本体に搭載可能になっている。このＬＤパッケージを、使用すべき光源に応じて、光ピックアップ本体に対し相対的に位置調整するようになっている。したがって、使用すべき光源の発光点が、合致すべき光ピックアップ装置の光軸に合致するように調整することが可能となる。
【００１３】
また本発明は、異なる波長のレーザ光を発する光源を一体に備えるＬＤパッケージと、
光源から発せられるレーザ光を記録媒体に導く光学部品と、
ＬＤパッケージおよび光学部品を支持する光ピックアップ本体と、
使用すべき波長のレーザ光を発する光源に応じて、光ピックアップ本体に対し、ＬＤパッケージを相対的に位置調整可能な調整機構とを有することを特徴とする光ピックアップ装置である。
【００１４】
本発明に従えば、ＬＤパッケージは、異なる波長のレーザ光を発する光源を一体に備える。光源から発せられるレーザ光は、光学部品によって記録媒体に導かれる。これらＬＤパッケージおよび光学部品は、光ピックアップ本体に支持される。調整機構は、使用すべき光源に応じて、光ピックアップ本体に対し、ＬＤパッケージを相対的に位置調整する。このように、使用すべき光源と光ピックアップ本体との相対位置を、調整機構によって調整することができる。
【００１５】
また本発明は、調整機構は、ＬＤパッケージに付設される第１ギヤ手段と、光ピックアップ本体に設けられかつ第１ギヤ手段に噛合する第２ギヤ手段とを有することを特徴とする。
【００１６】
本発明に従えば、調整機構は第１ギヤ手段と第２ギヤ手段とを有する。第１ギヤ手段はＬＤパッケージに付設される。第２ギヤ手段は、光ピックアップ本体に設けられるうえ、第１ギヤ手段に噛合している。これら第１および第２ギヤ手段を協働して駆動することで、光ピックアップ本体に対し、ＬＤパッケージを相対的に位置調整することができる。
【００１７】
また本発明は、ＬＤパッケージには少なくとも外周面部が形成され、第１ギヤ手段は、前記外周面部に沿って付設されてセクタギヤまたはピニオンギヤを成すことを特徴とする。
【００１８】
本発明に従えば、第１ギヤ手段を、ＬＤパッケージの外周面部に沿って付設されるセクタギヤまたはピニオンギヤによって実現することができる。
【００１９】
また本発明は、第２ギヤ手段は、ウォームギヤ、ピニオンギヤおよびラックギヤの少なくともいずれか１つによって構成されることを特徴とする。
【００２０】
本発明に従えば、第１ギヤ手段と、ウォームギヤ、ピニオンギヤおよびラックギヤの少なくともいずれか１つとで協働駆動することで、光ピックアップ本体に対し、ＬＤパッケージを相対的に位置調整することができる。
【００２１】
また本発明は、第２ギヤ手段を駆動可能な駆動源をさらに有することを特徴とする。
本発明に従えば、駆動源によって第２ギヤ手段を駆動し、第１ギヤ手段を介して光ピックアップ本体に対し、ＬＤパッケージを相対的に位置調整することができる。
【００２２】
また本発明は、使用すべき光源の発光点が、合致すべき光ピックアップ装置の光軸に合致したか否かを判定する判定手段をさらに備えることを特徴とする。
【００２３】
本発明に従えば、判定手段は、使用すべき光源の発光点が、合致すべき光ピックアップ装置の光軸つまりピックアップ中心に合致したか否かを判定する。この判定手段を用いて、ＬＤパッケージを光ピックアップ本体に対し確実に位置調整することができる。
【００２４】
また本発明は、判定手段は、ＬＤパッケージまたは光ピックアップ本体に付設される磁石片およびコイル体を含むことを特徴とする。
本発明に従えば、判定手段を、磁石片およびコイル体によって実現することができる。
【００２５】
また本発明は、判定手段による判定結果に基づいて、調整機構の調整量を制御する制御手段をさらに備えることを特徴とする。
【００２６】
本発明に従えば、制御手段は、判定手段による判定結果に基づいて、調整機構の調整量を制御する。このようにＬＤパッケージを光ピックアップ本体に対し確実に位置調整することが可能となる。
【００２７】
また本発明は、異なる波長のレーザ光を発する光源を一体に備えるＬＤパッケージと、光源から発せられるレーザ光を記録媒体に導く光学部品と、ＬＤパッケージおよび光学部品を支持する光ピックアップ本体と、使用すべき波長のレーザ光を発する光源に応じて、光ピックアップ本体に対し、ＬＤパッケージを相対的に位置調整可能な調整機構とを有する光ピックアップ装置を搭載したことを特徴とする電子機器である。
【００２８】
本発明に従えば、ＬＤパッケージは、異なる波長のレーザ光を発する光源を一体に備える。光源から発せられるレーザ光は、光学部品によって記録媒体に導かれる。これらＬＤパッケージおよび光学部品は、光ピックアップ本体に支持される。調整機構は、使用すべき光源に応じて、光ピックアップ本体に対し、ＬＤパッケージを相対的に位置調整する。電子機器には、このような光ピックアップ装置が搭載されている。
【発明の効果】
【００２９】
本発明によれば、ＬＤパッケージを、使用すべき光源に応じて、光ピックアップ本体に対し相対的に位置調整するようになっている。したがって、使用すべき光源の発光点が、合致すべき光ピックアップ装置の光軸に合致するように調整することが可能となる。それ故、ＬＤパッケージの汎用性が高くなるうえ、ホログラム素子を用いる従来技術のものに比べて、光のロス発生を抑制してピックアップ性能の向上を図ることができる。
【００３０】
また本発明によれば、調整機構は、使用すべき光源に応じて、光ピックアップ本体に対し、ＬＤパッケージを相対的に位置調整する。このように、使用すべき光源と光ピックアップ本体との相対位置を、調整機構によって調整することができる。換言すれば、使用すべき光源の発光点が、合致すべき光ピックアップ装置の光軸に合致するように、調整機構によって簡単に調整することが可能となる。したがって、異なる波長のレーザ光を発する光源を備える光ピックアップ装置であるけれども、収差を解消するように光ピックアップ本体に対するＬＤパッケージの相対位置を調整することができる。それ故、ホログラム素子を用いる従来技術のものに比べて、光のロス発生を抑制してピックアップ性能の向上を図ることができる。また記録媒体からの戻り光を受けるための受光素子を兼用することが可能となるので、製作コストの低減を図ることが可能となるだけでなく光ピックアップ装置の小形化を図ることが可能となる。
【００３１】
また本発明によれば、第１および第２ギヤ手段を協働して駆動することで、光ピックアップ本体に対し、ＬＤパッケージを相対的に位置調整することができる。
【００３２】
また本発明によれば、第１ギヤ手段を、ＬＤパッケージの外周面部に沿って付設されるセクタギヤまたはピニオンギヤによって実現することができる。
【００３３】
また本発明によれば、第１ギヤ手段と、ウォームギヤ、ピニオンギヤおよびラックギヤの少なくともいずれか１つとで協働駆動することで、光ピックアップ本体に対し、ＬＤパッケージを相対的に位置調整することができる。
【００３４】
また本発明によれば、駆動源によって第２ギヤ手段を駆動し、第１ギヤ手段を介して光ピックアップ本体に対し、ＬＤパッケージを相対的に位置調整することができる。
【００３５】
また本発明によれば、判定手段は、使用すべき光源の発光点が、合致すべき光ピックアップ装置の光軸つまりピックアップ中心に合致したか否かを判定する。この判定手段を用いて、ＬＤパッケージを光ピックアップ本体に対し確実に位置調整することができる。
【００３６】
また本発明によれば、判定手段を、磁石片およびコイル体によって実現することができる。
【００３７】
また本発明によれば、制御手段は、判定手段による判定結果に基づいて、調整機構の調整量を制御する。このようにＬＤパッケージを光ピックアップ本体に対し確実に位置調整することが可能となる。
【００３８】
また本発明によれば、使用すべき光源の発光点が、合致すべき光ピックアップ装置の光軸に合致するように、調整機構によって簡単に調整することが可能となる。したがって、異なる波長のレーザ光を発する光源を備える光ピックアップ装置であるけれども、収差を解消するように光ピックアップ本体に対するＬＤパッケージの相対位置を調整することができる。それ故、ホログラム素子を用いる従来技術のものに比べて、光のロス発生を抑制してピックアップ性能の向上を図ることができる。また記録媒体からの戻り光を受光するための受光素子を兼用することが可能となるので、製作コストの低減を図ることが可能となるだけでなく光ピックアップ装置の小形化を図ることが可能となる。したがって光ピックアップ装置を搭載する電子機器の小形化を図り、電子機器全体の製作コストの低減を図ることができる。
【発明を実施するための最良の形態】
【００３９】
図１は、本発明の第１の実施形態に係る光ピックアップ装置１０の要部を概略示す斜視図である。以後、第１の実施形態に係る光ピックアップ装置１０を、第１光ピックアップ装置１０という場合がある。この第１光ピックアップ装置１０は、電子機器としてのたとえば光ディスク再生装置に搭載される。第１光ピックアップ装置１０は、ハウジング１１、ＬＤパッケージ１２、調整機構１３、駆動源、回折格子、ビームスプリッター、コリメートレンズ、対物レンズ、シリンドリカルレンズおよび受光素子などを備えている。光ピックアップ本体としてのハウジング１１には、これらＬＤパッケージ１２、調整機構１３、回折格子、ビームスプリッター、コリメートレンズ、対物レンズ、シリンドリカルレンズおよび受光素子が搭載されている。
【００４０】
ＬＤパッケージ１２付近に回折格子が設けられ、この回折格子の一方には、レーザ光の反射および透過を可能とするビームスプリッターが配設されている。ビームスプリッターの反射方向に、順次、平行光を発生させるコリメートレンズ、対物レンズが配設されている。対物レンズは、記録媒体である光ディスクの信号記録面上にレーザ光を集光する機能を有する。ビームスプリッターの透過方向には、順次、シリンドリカルレンズおよび受光素子が配設されている。この受光素子は、光ディスクからの反射光を受光して光ディスクに記録された情報を検出する機能を有する。回折格子、ビームスプリッター、コリメートレンズ、対物レンズおよびシリンドリカルレンズが、光学部品に相当する。
【００４１】
後述するＬＤパッケージ１２の光源から出射された光は、回折格子を通過し、ビームスプリッターで反射される。ビームスプリッターで反射された光は、コリメートレンズに入射されて平行光となり、対物レンズによって光ディスクに集光される。光ディスクの信号記録面から反射された光は、再び対物レンズおよびコリメートレンズに入射されビームスプリッターを透過し、シリンドリカルレンズを通り受光素子に入射する。
【００４２】
図２は、ＬＤパッケージ１２および調整機構１３の正面図である。図３は、ＬＤパッケージ１２を光ピックアップ本体に対し位置調整した段階のＬＤパッケージ１２および調整機構１３の正面図である。ＬＤパッケージ１２は、異なる波長のレーザ光を発する半導体レーザー素子１４を一体に備えている。この半導体レーザー素子１４つまり２波長ＬＤチップ１４が光源に相当する。２波長ＬＤチップ１４を、単にＬＤチップ１４という場合がある。ＬＤチップ１４における、出射可能なレーザ光の波長は、デジタルバーサタイルディスク（略称ＤＶＤ）用の６５０ｎｍおよびコンパクトディスク（略称ＣＤ）用の７８０ｎｍである。
【００４３】
図１に示すように、ハウジング１１の一側壁部１１ａに、ＬＤパッケージ１２が配設されている。ＬＤパッケージ１２は、出射方向に所定小距離の厚みを備え、このＬＤパッケージ１２を出射方向に見て扇形形状に形成される。外方に臨むＬＤパッケージ１２の一表面部１２ａは、ハウジング１１の一側壁部１１ａに面一状に設けられるうえ、ＬＤパッケージ１２は、この扇形の要部１２ｂを支点として、後述する調整機構１３によって揺動可能に構成されている。つまりＬＤパッケージ１２は、ハウジング１１に対し位置調整可能になっている。逆に言えば、ハウジング１１には、前記扇形形状よりもやや大きい略Ｖ字形の孔部が形成され、この孔部にＬＤパッケージ１２が収容支持されて該ＬＤパッケージ１２は揺動可能になっている。ハウジング１１に前述の孔部を形成することで、第１光ピックアップ装置１０の軽量化を図ることができる。
【００４４】
前記ＬＤチップ１４は、ＬＤパッケージ１２のうち外周面部に近接するようにＬＤパッケージ１２に一体に設けられる。しかもＬＤチップ１４は、ＬＤパッケージ１２のうち扇形の全角度α（αはたとえば１２０度）の１／２の角度となる中間角度に配設される。つまりＬＤパッケージ１２の外周面部と要部１２ｂとの間の中間部分でかつ前記中間角度となる位置よりも、前記外周面部側にオフセットさせたオフセット位置に、ＬＤチップ１４が配設されている。またＬＤチップ１４の中心部であって、６５０ｎｍの波長のレーザ光を出射する一方の発光点１４ａと、７８０ｎｍの波長のレーザ光を出射する他方の発光点１４ｂとの間の中間部が、ＬＤパッケージ１２の中間角度位置に合致するようにＬＤチップ１４が設けられる。
【００４５】
調整機構１３は、第１および第２ギヤ手段１５，１６を有する。第１ギヤ手段１５は、ＬＤパッケージ１２の外周面部の大部分に付設されてセクタギヤを成す。ハウジング１１には、この第１ギヤ手段１５に臨みかつ第１ギヤ手段１５に噛合する第２ギヤ手段１６が配設されている。第２ギヤ手段１６は、第１ギヤ手段１５に駆動力を伝達するものであって、ラックギヤによって構成されている。ラックギヤは、ハウジング１１の一辺に沿って直動変位可能に設けられている。ラックギヤの長手方向一端部および他端部に、第１磁石片１７，１８がそれぞれ設けられている。ハウジング１１には、各第１磁石片１７，１８に臨む第１コイル体１９，２０が設けられている。駆動源であるこれら第１磁石片１７，１８と第１コイル体１９，２０とで協働して、第２ギヤ手段１６を駆動可能になっている。
【００４６】
ＬＤパッケージ１２において、外周面部と要部１２ｂとの間の一側面部には、第２磁石片２１が設けられている。ハウジング１１には、この第２磁石片２１に臨む第２コイル体２２が設けられている。ＬＤパッケージ１２における外周面部と要部１２ｂとの間の他側面部にも、第２磁石片２１が設けられ、ハウジング１１には、前記第２磁石片２１に臨む第２コイル体２２が設けられている。後述するが、これら第２磁石片２１および第２コイル体２２を用いて、使用すべきＬＤチップ１４の発光点が、合致すべき光ピックアップ装置１０の光軸Ｌ１に合致したか否かを判定し得る。前記光ピックアップ装置１０の光軸Ｌ１を、ピックアップ中心Ｌ１という場合もある。
【００４７】
図４は、光ディスク再生装置の電気的構成を示すブロック図である。光ディスク再生装置には、光ピックアップ装置１０、サーボ機構およびマイクロコンピュータ２３などが搭載されている。光ピックアップ装置１０は、光ディスク２４にて反射した戻り光を受光素子に集光してその検出信号を、信号処理部２５に伝送する。サーボ機構は、スピンドル駆動部２６、ピックアップ駆動部２７、駆動制御部２８および前記信号処理部２５を備えている。スピンドル駆動部２６は光ディスク２４を回転駆動可能であり、ピックアップ駆動部２７は光ピックアップ装置１０を変位可能である。駆動制御部２８は、信号処理部２５から伝送される信号に基づいて、スピンドル駆動部２６およびピックアップ駆動部２７を駆動制御可能に構成されている。ピックアップ駆動部２７は、スライド駆動部２９、フォーカス駆動部３０およびトラッキング駆動部３１を備えている。
【００４８】
マイクロコンピュータ２３は、中央演算処理装置（ＣＰＵ：Central Processing
Unit）とロム（ＲＯＭ：Read Only Memory ）とラム（ＲＡＭ：Random Access Memory ）とを備えている。信号処理部２５から伝送される信号に基づいて、マイクロコンピュータ２３は、ディスクトレイに載置支持される光ディスク２４の種別つまりＤＶＤかＣＤかを判別する。またマイクロコンピュータ２３は、前述の第２磁石片２１および第２コイル体２２からの信号に基づいて、使用すべきＬＤチップ１４の発光点が、ピックアップ中心Ｌ１に合致したか否かを判定する。この判定結果に基づいて、マイクロコンピュータ２３は、調整機構１３の調整量を制御する。マイクロコンピュータ２３が制御手段に相当する。マイクロコンピュータ２３、第２磁石片２１、第２コイル体２２および信号処理部２５が、判定手段に相当する。
【００４９】
図５は、ＬＤパッケージ１２の位置調整方法を段階的に示すフローチャートである。マイクロコンピュータ２３のたとえばＲＯＭに、ＬＤパッケージ１２の位置調整プログラムが格納されている。ＬＤパッケージ１２を位置調整するための制御主体は、ＣＰＵである。光ディスク再生装置の主電源がオンの状態で、ディスクトレイに光ディスク２４が載置支持されて、予め定める操作ボタンが操作者によって操作される条件で、この処理が開始される。
【００５０】
先ずステップｓ１において、デフォルトでＬＤチップ１４が７８０ｎｍの波長のレーザ光を出射可能に設定される。次にステップｓ２に移行し、信号処理部２５から伝送される信号に基づいて、光ディスク２４がＣＤであるか否かをマイクロコンピュータ２３が判定する。ここで載置支持される光ディスク２４がＣＤであると判別されると、ステップｓ３に移行する。ステップｓ３において、ＣＰＵからの出力信号によって、ピックアップ駆動部２７のフォーカス駆動部３０の駆動制御を停止する。これによってＬＤパッケージ１２をハウジング１１に対し正確に位置調整することができる。
【００５１】
次にステップｓ４において、フォーカス駆動部３０の駆動制御を停止した状態つまりフォーカスサーボ、オフの状態で、調整機構１３によってＬＤチップ１４を位置調整する。具体的にはＬＤパッケージ１２のうち７８０ｎｍ用の発光点が、ピックアップ中心Ｌ１に合致するようにＬＤパッケージ１２を位置調整する。図５において、ピックアップ中心Ｌ１を「Ｐセンター」と表記している。調整機構１３の調整量を制御するフローを表すサブルーチン（図６参照）については、後述する。その後ステップｓ５に移行して、フォーカスサーボをオンの状態に切換え、この処理を終了する。
【００５２】
ステップｓ２において、光ディスク２４がＣＤではないと判定されると、ステップｓ６に移行する。ここでＬＤチップ１４を、６５０ｎｍの波長のレーザ光を出射可能に設定する。次にステップｓ７に移行し、信号処理部２５から伝送される信号に基づいて、光ディスク２４がＤＶＤであるか否かを判定する。ここで載置支持される光ディスク２４がＤＶＤであると判定されると、ステップｓ８に移行する。このステップｓ８において、ＣＰＵからの出力信号によって、フォーカス駆動部３０の駆動制御を停止する。次にステップｓ９に移行し、フォーカスサーボ、オフの状態で、調整機構１３によってＬＤチップ１４を位置調整する。具立的にはＬＤパッケージ１２のうち６５０ｎｍ用の発光点が、ピックアップ中心Ｌ１に合致するようにＬＤパッケージ１２を位置調整する。その後前述のステップｓ５に戻る。ステップｓ７にて載置支持される光ディスク２４がＤＶＤではないと判定されると、ステップｓ１０に移行する。その後、ＣＰＵはたとえば読取りエラー処理などを実行する。
【００５３】
図６は、調整機構１３の調整量を制御する方法を示すフローチャートである。このフローチャートは、ステップｓ４またはステップｓ９のサブルーチンを表すものである。ステップｓ４またはステップｓ９に移行した段階で、この処理が開始される。先ずステップａ１において、第１磁石片１７，１８と第１コイル体１９，２０とで協働して、第２ギヤ手段１６を駆動する。この第２ギヤ手段１６の駆動力を第１ギヤ手段１５に伝達して、ＬＤパッケージ１２を位置調整する。
【００５４】
次にステップａ２に移行し、ＬＤパッケージ１２のうち所望の発光点が、ピックアップ中心Ｌ１に合致したか否かを判定手段によって判定する。つまりマイクロコンピュータ２３は、第２磁石片２１および第２コイル体２２からの信号に基づいて、使用すべきＬＤチップ１４の発光点が、ピックアップ中心Ｌ１に合致したか否かを判定する。このステップａ２において、使用すべきＬＤチップ１４の発光点が、ピックアップ中心Ｌ１に合致していないと判定されると、ステップａ１に戻る。逆に、使用すべきＬＤチップ１４の発光点が、ピックアップ中心Ｌ１に合致したと判定されると、この処理を終了する。
【００５５】
以上説明したＬＤパッケージ１２および第１光ピックアップ装置１０によれば、１つのＬＤパッケージ１２に複数の波長ＬＤチップ１４を搭載したうえで、使用すべき波長のＬＤに応じて、ハウジング１１に対し相対的にＬＤパッケージ１２を位置調整可能に構成したので、次のような効果を奏する。つまり１パッケージで、複数の光メディア（記録媒体）に対応可能となるので、光ディスク再生装置およびＬＤパッケージ１２の汎用性を高くすることができる。複数のＬＤパッケージを設けることなく複数の光メディアに対応可能となるので、光ピックアップ装置１０の小形化を図り、部品点数の削減を図ることができる。これによって製作コストの低減を図ることができる。またホログラム素子を用いる従来技術のものに比べて、光のロス発生を抑制してピックアップ性能の向上を図ることができる。
【００５６】
使用すべきＬＤチップ１４の発光点が、合致すべき光ピックアップ装置１０の光軸Ｌ１に合致するように、調整機構１３によって簡単に調整することが可能となる。したがって、異なる波長のレーザ光を発する光源を備える光ピックアップ装置１０であるけれども、コマ収差を解消するようにハウジング１１に対するＬＤパッケージ１２の相対位置を調整することができる。コマ収差を解消できることで、光ディスク２４からの戻り光を受けるための受光素子を、異なる波長で兼用することが可能となる。その分、製作コストの低減を図ることができる。
【００５７】
また第１および第２ギヤ手段１５，１６を協働して駆動することで、ハウジング１１に対し、ＬＤパッケージ１２を相対的に位置調整することができる。使用すべきＬＤチップ１４の発光点が、合致すべきピックアップ中心Ｌ１に合致したか否かを判定手段によって判定する。マイクロコンピュータ２３は、判定手段による判定結果に基づいて、調整機構１３の調整量を制御するので、ＬＤパッケージ１２をハウジング１１に対し確実に位置調整することが可能となる。
【００５８】
以上説明したＬＤパッケージ１２によれば、ＬＤパッケージ１２を出射方向に見て扇形形状に形成されるので、従来の円形状に形成されるＬＤパッケージ１２と比べてＬＤパッケージ１２自体の小形化を図ることができる。これによって第１光ピックアップ装置１０の小形化、薄形化を実現することができる。またＬＤパッケージ１２の軽量化を図り、ＬＤパッケージ１２の位置調整の応答性を高くすることも可能となる。ＬＤチップ１４は、ＬＤパッケージ１２のオフセット位置に配設されているので、たとえばＬＤパッケージ１２の揺動支点に配設されるＬＤチップ構造のものよりも、ＬＤパッケージ１２の調整可動範囲を小さくすることができる。これによってＬＤパッケージ１２の位置調整時間を短縮することが可能となる。しかもＬＤチップ１４の一方の発光点と他方の発光点との間の中心部が、ＬＤパッケージ１２の中間角度位置に合致するようにＬＤチップ１４が設けられるので、一方または他方の発光点への調整可動量のばらつきを解消したうえで、ＬＤパッケージ１２の位置調整時間を短縮することが可能となる。
【００５９】
図７は、本発明の第２の実施形態に係る光ピックアップ装置１０Ａの要部を概略示す斜視図である。ただし第１の実施形態と同一の部材には同一の符号を付し、その詳細な説明は省略する。以後、第２の実施形態に係る光ピックアップ装置１０Ａを、第２光ピックアップ装置１０Ａという場合がある。第２光ピックアップ装置１０Ａは、ハウジング１１、ＬＤパッケージ１２、調整機構３２、駆動源としての駆動モータ３３、回折格子、ビームスプリッター、コリメートレンズ、対物レンズ、シリンドリカルレンズおよび受光素子などを備えている。
【００６０】
ハウジング１１の一側壁部１１ａには、２波長ＬＤチップを備えるＬＤパッケージ１２が配設され、ＬＤパッケージ１２は、扇形の要部１２ｂを支点として、調整機構３２によってハウジング１１に対し位置調整可能になっている。前記調整機構３２は、第１ギヤ手段１５と、ピニオンギヤ３４によって構成される第２ギヤ手段とを有する。ハウジング１１に、駆動モータ３３のモータ本体が取り付けられ、そのモータ軸には、セクタギヤを成す第１ギヤ手段１５に噛合しかつ該第１ギヤ手段１５に駆動力を伝達するためのピニオンギヤ３４が固着されている。したがって、駆動モータ３３、ピニオンギヤ３４および第１ギヤ手段１５によって、ＬＤパッケージ１２を位置調整可能に構成されている。以上説明した第２光ピックアップ装置１０Ａによれば、第１光ピックアップ装置１０と略同様の効果を奏する。
【００６１】
図８は、本発明の第３の実施形態に係るＬＤパッケージ３５および調整機構３６の正面図である。本第３の実施形態では、ＬＤパッケージ３５を除き第１の実施形態と同様の構成となっている。このＬＤパッケージ３５は、出射方向に所定小距離の厚みを備え、このＬＤパッケージ３５を出射方向に見て略半円形状に形成される。前記略半円形状は「半円形状」を含む。ＬＤパッケージ３５の外周面部には、第１ギヤ手段１５が付設されてセクタギヤを成す。ハウジング１１には、この第１ギヤ手段１５に臨みかつ第１ギヤ手段１５に噛合する第２ギヤ手段１６が配設されている。この第２ギヤ手段１６はラックギヤによって構成されている。
【００６２】
ハウジング１１には、ＬＤパッケージ３５の略半円形状よりもやや大きい孔部が形成されている。この孔部にＬＤパッケージ３５が収容支持されて該ＬＤパッケージ３５は揺動可能になっている。本実施形態によれば、第１実施形態のＬＤパッケージ１２よりもＬＤパッケージ自体の重量はやや重くなるものの、ハウジング１１に前述の孔部が形成されるので、第３の実施形態に係る光ピックアップ装置を軽量化することが可能となる。
【００６３】
図９は、本発明の第４の実施形態に係るＬＤパッケージ３７および調整機構３８の正面図である。このＬＤパッケージ３７は略直方体形状に形成されている。前記略直方体形状は、「直方体形状」を含む。調整機構３８は、ＬＤパッケージ３７の外表面部の長手方向に沿って付設される第１のラックギヤ３９と、第１のラックギヤ３９に噛合する第２のラックギヤ４０であってハウジング１１に直動変位可能に設けられる第２のラックギヤ４０とを有する。第１のラックギヤ３９が第１ギヤ手段に相当し、第２のラックギヤ４０が第２ギヤ手段に相当する。図示外の駆動源によって第２のラックギヤ４０を駆動し、この駆動力を第１のラックギヤ３９に伝達することで、ＬＤパッケージ３７を、ハウジング１１に対し位置調整することができる。本実施形態によれば、特にＬＤパッケージ３７の薄形化を図ることができ、光ピックアップ装置を一層薄形化することが可能となる。
【００６４】
図１０は、本発明の第５の実施形態に係るＬＤパッケージ４１および調整機構４２の正面図である。このＬＤパッケージ４１は、出射方向に所定小距離の厚みを備え、このＬＤパッケージ４１を出射方向に見て円形状に形成される。ＬＤチップ１４は、前記ＬＤパッケージ４１の半径方向外方側に配設されている。調整機構４２は、ＬＤパッケージ４１の外周面部に沿って付設されるピニオンギヤ４３と、ラックギヤ４０とを有する。ピニオンギヤ４３が第１ギヤ手段に相当し、ラックギヤ４０が第２ギヤ手段に相当する。本調整機構４２および図示外の駆動源によって、ＬＤパッケージ４１を、ハウジング１１に対し位置調整することができる。
【００６５】
本実施形態においては、２波長ＬＤチップを適用しているが、必ずしもこの形態に限定されるものではない。たとえば複数の単体ＬＤチップをパッケージに搭載する構造にすることも可能である。この場合にも本実施形態と同様の効果を奏する。発光波長は、６５０ｎｍ、７８０ｎｍだけに必ずしも限定されるものではない。調整機構の調整量を制御する制御手段つまり制御回路を、光ピックアップ装置自体に搭載してもよい。この場合には、外部回路を使用する必要がなくなるので、光ピックアップ装置の制御回路側の設計を簡略化できる。それ故、この光ピックアップ装置を搭載する電子機器の製作コストを一層低減することが可能となる。第２ギヤ手段をウォームギヤによって構成することも可能である。
【図面の簡単な説明】
【００６６】
【図１】本発明の第１の実施形態に係る光ピックアップ装置１０の要部を概略示す斜視図である。
【図２】ＬＤパッケージ１２および調整機構１３の正面図である。
【図３】ＬＤパッケージ１２を光ピックアップ本体に対し位置調整した段階のＬＤパッケージ１２および調整機構１３の正面図である。
【図４】光ディスク再生装置の電気的構成を示すブロック図である。
【図５】ＬＤパッケージ１２の位置調整方法を段階的に示すフローチャートである。
【図６】調整機構１３の調整量を制御する方法を示すフローチャートである。
【図７】本発明の第２の実施形態に係る光ピックアップ装置１０Ａの要部を概略示す斜視図である。
【図８】本発明の第３の実施形態に係るＬＤパッケージ３５および調整機構３６の正面図である。
【図９】本発明の第４の実施形態に係るＬＤパッケージ３７および調整機構３８の正面図である。
【図１０】本発明の第５の実施形態に係るＬＤパッケージ４１および調整機構４２の正面図である。
【図１１】従来技術に係る光ピックアップ装置１の構成を概略示す図である。
【図１２】受光素子２を拡大して示す図である。
【図１３】従来技術に係る半導体レーザー３を、その発光方向に垂直な仮想平面で切断して見た断面図である。
【符号の説明】
【００６７】
１０  第１光ピックアップ装置
１１  ハウジング
１２  ＬＤパッケージ
１３  調整機構
１４  ＬＤチップ
１５，１６  第１，第２ギヤ手段
１７，１８  第１磁石片
１９，２０  第１コイル体
２１  第２磁石片
２２  第２コイル体
２３  マイクロコンピュータ
２４  光ディスク
【図１】
2005285214.tif 000003
【図２】
2005285214.tif 000004
【図３】
2005285214.tif 000005
【図４】
2005285214.tif 000006
【図５】
2005285214.tif 000007
【図６】
2005285214.tif 000008
【図７】
2005285214.tif 000009
【図８】
2005285214.tif 000010
【図９】
2005285214.tif 000011
【図１０】
2005285214.tif 000012
【図１１】
2005285214.tif 000013
【図１２】
2005285214.tif 000014
【図１３】
2005285214.tif 000015